(57)【要約】【課題】  複数の相手電気コネクタを同時に挿入して、回路板と電気的接続することのできる電気コネクタを提供する。【解決手段】  本考案は、少なくとも２つの相手電気コネクタを挿入して、その相手電気コネクタと回路板を電気的に相互接続するように、回路板に取り付けられる電気コネクタを提供する。この電気コネクタは、２つの離間された側壁を有する絶縁ハウジングを備え、少なくとも２つの上下にスタックされたプラグシートが絶縁ハウジングと一体的に形成され、そしてプラグシートに形成された複数の端子受け入れスロットに複数の端子が各々受け入れられる。各側壁には保持ノッチが形成され、これは、回路板を取り外し可能に挿入するために挿入方向とは逆に２つのプラグシート間に延びる。各プラグシートが相手電気コネクタを取り外し可能に挿入できるときに、相手電気コネクタは、対応的に且つ電気的に端子に接続されて、回路板との電気的接続を確立する。【選択図】      図１
0003128348.tif 000002
【実用新案登録請求の範囲】
【請求項１】
少なくとも２つの相手電気コネクタを挿入するためのスタック型コネクタにおいて、
絶縁ハウジングを備え、該絶縁ハウジングは、２つの離間された側壁を有し、それらの間に、２つの上下にスタックされたプラグシートが一体的に形成され、各プラグシートには、複数の端子受け入れスロットが形成され、上記絶縁ハウジングは、挿入方向を規定し、各側壁には、回路板を取り外し可能に挿入するために上記挿入方向とは逆の方向に上記２つのプラグシート間に延びる保持ノッチが形成され、そして更に、
上記端子受け入れスロットに各々受け入れられる複数の端子を備え、これらの端子は、上記端子受け入れスロットの内壁に各々締りばめされ、そして各端子は、各端子受け入れスロットに受け入れられるコンタクト部分と、各端子受け入れスロットから突出して回路板に電気的に接続される半田付け部分とを有し、
各プラグシートが相手電気コネクタを取り外し可能に挿入できるときに、相手電気コネクタは、対応的にそして電気的に上記端子に接続されて、上記回路板との電気的接続を確立するスタック型コネクタであって、
特に、上記２つの上下にスタックされたプラグシートの間に分割プレートが設けられて、上記離間された側壁間で、分割プレートの上側に第１受け入れ部分を画成し、下側に第２受け入れ部分を画成しており、各プラグシートは、それぞれ、上記第１または第２受け入れ部分に延びており、各プラグシートの端子受け入れスロットが上記分割プレートと対向する面に設けられていると共に、端子受け入れスロットを設けた面と反対の面側の上記側壁間は外部に対して開放されていることを特徴とするスタック型コネクタ。
【請求項２】
上記保持ノッチの各々は、その巾が上記回路板の厚みより小さく、そして上記回路板を上記保持ノッチに挿入するときに、上記回路板は強制的にクランプされ、そして上記コネクタは、上記回路板に対して固定される請求項１に記載のスタック型コネクタ。
【請求項３】
少なくとも４つの相手電気コネクタを挿入するためのスタック型コネクタにおいて、
絶縁ハウジングを備え、該絶縁ハウジングは、２つの離間された側壁を有し、それらの間に、少なくとも２つの左右のプラグシートユニットが一体的に形成され、各プラグシートユニットは、２つの上下にスタックされたプラグシートを有し、各プラグシートには、複数の端子受け入れスロットが形成され、上記絶縁ハウジングは、挿入方向を規定し、各側壁には、回路板を取り外し可能に挿入するために上記挿入方向とは逆の方向に延びる保持ノッチが形成され、上記２つのプラグシートユニット間には、２つの離間された保持アームが形成されて、上記挿入方向とは逆に延び、上記保持アームは、上記回路板をしっかりクランプし、そして更に、
上記端子受け入れスロットに各々受け入れられた複数の端子を備え、各端子は、対応する端子受け入れスロットの内壁に締りばめ係合し、そして各端子は、対応する端子受け入れスロットに受け入れられるコンタクト部分と、その対応する端子受け入れスロットから突出して回路板に電気的に接続される半田付け部分とを有し、
各プラグシートが相手電気コネクタを取り外し可能に挿入できるときに、相手電気コネクタは、対応的にそして電気的に上記端子に接続されて、上記回路板との電気的接続を確立するスタック型コネクタであって、
特に、上記２つの上下にスタックされたプラグシートの間に分割プレートが設けられて、上記離間された側壁間で、分割プレートの上側に第１受け入れ部分を画成し、下側に第２受け入れ部分を画成しており、各プラグシートは、それぞれ、上記第１または第２受け入れ部分に延びており、各プラグシートの端子受け入れスロットが上記分割プレートと対向する面に設けられていると共に、端子受け入れスロットを設けた面と反対の面側の上記側壁間は外部に対して開放されていることを特徴とするスタック型コネクタ。
【請求項４】
上記保持アームの各々は、更に、他の保持アームに向かって延びる保持フックを有し、これら２つの保持フックは、上記回路板の厚みより小さいギャップをそれらの間に形成するように協働し、上記回路板は、締りばめにより上記保持アーム間に挿入されてそれによりクランプされ、上記回路板が上記２つの保持アームによってクランプされるときに、上記保持フックは、上記回路板に設けられた上記固定穴の各々へと延びて、上記回路板を位置設定する請求項３に記載のスタック型コネクタ。
【請求項５】
少なくとも４つの相手電気コネクタを挿入するためのスタック型コネクタにおいて、
絶縁ハウジングを備え、該絶縁ハウジングは、２つの離間された側壁を有し、それらの間に、少なくとも２つの左右のプラグシートユニットが一体的に形成され、各プラグシートユニットは、２つの上下のスタックされたプラグシートを有し、各プラグシートには、複数の端子受け入れスロットが形成され、上記絶縁ハウジングは、挿入方向を規定し、各側壁には、上記挿入方向とは逆方向に延びる第１保持ノッチが形成され、上記２つのプラグシートユニット間には中間壁が設けられ、そして上記挿入方向とは逆方向に延びる２つの離間された第２保持ノッチが形成され、上記第１及び第２の保持ノッチは、回路板を取り外し可能に挿入できるように協働し、そして更に、
上記端子受け入れスロットに各々受け入れられる複数の端子を備え、各端子は、対応する端子受け入れスロットの内壁に締りばめ係合し、そして各端子は、対応する端子受け入れスロットに受け入れられるコンタクト部分と、その対応する端子受け入れスロットから突出して上記回路板に電気的に接続される半田付け部分とを有し、
各プラグシートが相手電気コネクタを取り外し可能に挿入できるときに、相手電気コネクタは、対応的にそして電気的に端子に接続されて、回路板との電気的接続を確立するスタック型コネクタであって、
特に、上記２つの上下にスタックされたプラグシートの間に分割プレートが設けられて、上記離間された側壁間で、分割プレートの上側に第１受け入れ部分を画成し、下側に第２受け入れ部分を画成しており、各プラグシートは、それぞれ、上記第１または第２受け入れ部分に延びており、各プラグシートの端子受け入れスロットが上記分割プレートと対向する面に設けられていると共に、端子受け入れスロットを設けた面と反対の面側の上記側壁間は外部に対して開放されていることを特徴とするスタック型コネクタ。
【考案の詳細な説明】
【技術分野】
【０００１】
本考案は、電気コネクタに係り、より詳細には、複数の相手電気コネクタを同時に挿入して回路板と電気的に接続することのできる電気コネクタに係る。
【背景技術】
【０００２】
本出願人は、相手電気コネクタ（図示せず）を挿入するための図５、６及び７に示す電気コネクタ１を以前に出願した。この電気コネクタ１は、回路板３に電気的に接続され、相手電気コネクタと回路板３が電気信号を送信することができる。
電気コネクタ１は、絶縁ハウジング１０と、導電性端子セット２と、２つのロックユニット１５とを備えている。絶縁ハウジング１０は、Ｈ字型の主本体１１と、この主本体１１に接続される挿入壁１２と、ガイド壁１３と、支持壁１６と、２つの結合部分１４とを備えている。
【０００３】
主本体１１は、相手電気コネクタに接触する第１表面１１１と、この第１表面１１１とは反対の第２表面１１２と、主本体１１の長さに沿って各々延びる２つの対向する第１及び第２の端部１１３、１１４と、第１及び第２表面１１１、１１２を各々接続すると共に第１端部１１３から第２端部１１４へ各々延びる２つの対向する第１及び第２の横面１１５、１１６と、第１及び第２表面１１１、１１２を各々貫通して延びる複数の端子スルーホール１１７とを備えている。第１及び第２の横面１１５、１１６は、組み立て中に回路板３に向けることができる。この実施形態では、第２の横面１１６が回路板３に向けられている。
【０００４】
挿入壁１２は、主本体１１の第１表面１１１に配置されてそこから外方に突出し、そして当接面１２１と後面１２２とを含む。当接面１２１は、端子スルーホール１１７に各々対応する複数の端子受け入れスロット１２１１と、当接面１２１に固定される突出片１２１２とを含む。後面１２２は、保持溝１２２１を含む。
ガイド壁１３は、主本体１１の第１表面１１１に同様に配置されてそこから外方に突出し、そしてガイド壁１３及び挿入壁１２は、それらの間にギャップを形成する。ガイド壁１３は、挿入壁１２の片側に接近したガイド通路１３１を含む。
【０００５】
支持壁１６は、主本体１１の第２端部１１４に接近した主本体１１の第１表面１１１に設けられて、そこから外方に突出する。
２つの結合部分１４は、主本体１１の第２表面１１２において第１及び第２の端部１１３、１１４付近に配置され、そして第２表面１１２から外方に突出する。各結合部分１４は、回路板３に接触する下面１４２と、該下面１４２とは反対の上面１４１と、これら上面及び下面１４１、１４２を貫通して延びる結合穴１４３とを有する。各結合部分１４の結合穴１４３は、回路板３の固定穴３２の各々に整列される。
【０００６】
導電性端子セット２は、互いに平行に配列された複数の導電性端子２１を含む。各導電性端子２１は、２つの対向する第１コンタクト部分２１１と第２コンタクト部分２１２とを有する。各導電性端子２１の第１コンタクト部分２１１は、挿入壁１２の当接面１２１に形成された端子受け入れスロット１２１１の対応する１つに固定配置される。各導電性端子２１の第２コンタクト部分２１２は、端子スルーホール１１７の対応する１つへと延び、主本体１１の第２表面１１２から突出し、そして２つの第２結合部分１４間に配置される。
【０００７】
各ロックユニット１５は、ブロック部分１５１と、該ブロック部分１５１とは反対の係合部分１５２とを含む。各ロックユニット１５の係合部分１５２の端には、２つの対向する外方に突出する弾性フック部分１５２１が形成される。各ロックユニット１５の係合部分１５２は、結合部分１４の上面１４１から結合穴１４３を経て回路板３の固定穴３２へと延び、弾性フック部分１５２１が、固定穴３２の他側において穴の縁に各々フック固定される。ロックユニット１５のブロック部分１５１は、結合穴１４３で停止される。
【０００８】
電気コネクタ１及び回路板３が使用のために組み立てられるときには、回路板３の縁に、電気コネクタ１の形状に合致する長方形の切欠部が形成される。回路板３には、更に、導電性端子２１の位置に対応する複数の半田付けポイント３１と、結合部分１４の結合穴１４３に各々整列された２つの固定穴３２が設けられ、２つの結合部分１４の下面が回路板３に同時に接触するようにされる。更に、導電性端子２１の第２コンタクト部分２１２が、回路板３の半田付けポイント３１に溶接されそして電気的に接続される。その後、ロックユニット１５の係合部分１５２が結合部分１４の結合穴１４３に各々通される。弾性フック部分１５２１は、回路板３の固定穴３２に保持されるので、電気コネクタ１が回路板３に対応的に固定される。
【０００９】
相手電気コネクタは、ガイド壁１３のガイド通路１３１と、挿入壁１２の保持溝１２２１との整合により、回路板３へとガイドされて配置され、導電性端子２１の第１コンタクト部分２１１に電気的に接触すると共に、回路板３に電気的に接続されて、電気信号を送信する。
２つのロックユニット１５は、回路板３に対する絶縁ハウジング１０の位置を制限できるので、ユーザが相手電気コネクタを挿入する力を加えたとき又は相手電気コネクタに挿入後に横方向の力を当てたときに、ロックユニット１５がほとんどの力を支持し得る。従って、電気コネクタの標準的な構造が維持される間には、回路板３における絶縁ハウジング１０の保持も増強され、導電性端子２１へのダメージや、電気コネクタ１の故障が防止される。
【考案の開示】
【考案が解決しようとする課題】
【００１０】
上述した電気コネクタ１は、回路板３に対して絶縁ハウジング１０の位置を制限するための２つのロックユニット１５を有し、そして相手電気コネクタを挿入するために加えられる力によるか又は相手電気コネクタの挿入後のインパクトにより誘起される力に耐え得るが、１つの相手電気コネクタを挿入して回路板３に電気的接続することしかできない。それ故、複数の相手電気コネクタとの電気的接続が要求されるときには、回路板３の適当な位置に複数の固定穴を開けねばならない。上記方法に続いて、複数の電気コネクタ１が回路板３の同じ縁に連続的順序で電気的接続されるか、或いは回路板３の両縁に別の順序で接続され、複数の相手電気コネクタを挿入できるようにする。しかし、回路板３の面積を比較的増加しなければならず、最終電気製品の体積を増加することになり、電気製品の小型化の要件を満たさなくなる。
【００１１】
更に、複数の電気コネクタ１が接続されるときには、回路板３の固定穴３２が増加するので、回路板３の構造強度がダメージを受ける。その結果、ユーザが相手電気コネクタを挿入するための力を加えたとき、又は相手電気コネクタが挿入後の横方向の力によりインパクトを受けたときには、回路板３が破壊され、電気コネクタ１が無効となる。
従って、上記電気コネクタ１は、システム一体化のために複数の相手電気コネクタが必要とされるときには適当でなく、更なる改善が必要となる。
【課題を解決するための手段】
【００１２】
それ故、本考案の主たる目的は、複数の相手電気コネクタを同時に挿入して、回路板と電気的接続をすることのできる電気コネクタを提供することである。
本考案の別の目的は、回路板の破壊を防止するようにクランプ形態で回路板に電気的に接続することのできる電気コネクタを提供することである。
本考案の１つの特徴によれば、少なくとも２つの相手電気コネクタを挿入するためのスタック型コネクタは、絶縁ハウジングと、複数の端子とを備えている。
【００１３】
絶縁ハウジングは、２つの離間された側壁を有し、それらの間に、少なくとも２つの上下にスタックされたプラグシートが一体的に形成される。各プラグシートには、複数の端子受け入れスロットが形成される。絶縁ハウジングは、挿入方向を規定する。各側壁には、回路板を取り外し可能に挿入するために挿入方向とは逆の方向に２つのプラグシート間に延びる保持ノッチが形成される。
各端子は、各端子受け入れスロットに受け入れられ、そして対応する端子受け入れスロットの内壁に締りばめ係合する。各端子は、対応する端子受け入れスロットに受け入れられるコンタクト部分と、その対応する端子受け入れスロットから突出して回路板に電気的に接続される半田付け部分とを有する。
【００１４】
各プラグシートが相手電気コネクタを取り外し可能に挿入できるときに、相手電気コネクタは、対応的にそして電気的に端子に接続されて、回路板との電気的接続を確立する。特に、上記２つの上下にスタックされたプラグシートの間に分割プレートが設けられて、上記離間された側壁間で、分割プレートの上側に第１受け入れ部分を画成し、下側に第２受け入れ部分を画成している。各プラグシートは、それぞれ、上記第１または第２受け入れ部分に延びており、各プラグシートの端子受け入れスロットが上記分割プレートと対向する面に設けられていると共に、端子受け入れスロットを設けた面と反対の面側の上記側壁間は外部に対して開放されている。
【００１５】
本考案の別の特徴によれば、少なくとも４つの相手電気コネクタを挿入するためのスタック型コネクタは、絶縁ハウジングと、複数の端子とを備えている。
絶縁ハウジングは、２つの離間された側壁を有し、それらの間に、少なくとも２つの左右のプラグシートユニットが一体的に形成される。各プラグシートユニットは、２つの上下にスタックされたプラグシートを有する。各プラグシートには、複数の端子受け入れスロットが形成される。絶縁ハウジングは、挿入方向を規定する。各側壁には、回路板を取り外し可能に挿入するために挿入方向とは逆の方向に延びる保持ノッチが形成される。２つのプラグシートユニット間には、２つの離間された保持アームが形成され、挿入方向とは逆に延びる。保持アームは、回路板をしっかりクランプする。
【００１６】
各端子は、各端子受け入れスロットに受け入れられ、そして対応する端子受け入れスロットの内壁に締りばめ係合する。各端子は、対応する端子受け入れスロットに受け入れられるコンタクト部分と、その対応する端子受け入れスロットから突出して回路板に電気的に接続される半田付け部分とを有する。
各プラグシートが相手電気コネクタを取り外し可能に挿入できるときに、相手電気コネクタは、対応的にそして電気的に端子に接続されて、回路板との電気的接続を確立する。
そして、特に、上記２つの上下にスタックされたプラグシートの間に分割プレートが設けられて、上記離間された側壁間で、分割プレートの上側に第１受け入れ部分を画成し、下側に第２受け入れ部分を画成している。各プラグシートは、それぞれ、上記第１または第２受け入れ部分に延びており、各プラグシートの端子受け入れスロットが上記分割プレートと対向する面に設けられていると共に、端子受け入れスロットを設けた面と反対の面側の上記側壁間は外部に対して開放されている。
【００１７】
本考案の更に別の特徴によれば、少なくとも４つの相手電気コネクタを挿入するためのスタック型コネクタは、絶縁ハウジングと、複数の端子とを備えている。
絶縁ハウジングは、２つの離間された側壁を有し、それらの間に、少なくとも２つの左右のプラグシートユニットが一体的に形成される。各プラグシートユニットは、２つの上下のスタックされたプラグシートを有する。各プラグシートには、複数の端子受け入れスロットが形成される。絶縁ハウジングは、挿入方向を規定する。各側壁には、挿入方向とは逆の方向に延びる第１保持ノッチが形成される。２つのプラグシートユニット間には中間壁が設けられ、挿入方向とは逆に延びる２つの離間された第２保持ノッチが形成される。第１及び第２の保持ノッチは、互いに協働して、回路板を取り外し可能に挿入できるようにする。
【００１８】
各端子は、各端子受け入れスロットに受け入れられ、そして対応する端子受け入れスロットの内壁に締りばめ係合する。各端子は、対応する端子受け入れスロットに受け入れられるコンタクト部分と、その対応する端子受け入れスロットから突出して回路板に電気的に接続される半田付け部分とを有する。
各プラグシートが相手電気コネクタを取り外し可能に挿入できるときに、相手電気コネクタは、対応的にそして電気的に端子に接続されて、回路板との電気的接続を確立する。そして、特に、上記２つの上下にスタックされたプラグシートの間に分割プレートが設けられて、上記離間された側壁間で、分割プレートの上側に第１受け入れ部分を画成し、下側に第２受け入れ部分を画成している。各プラグシートは、それぞれ、上記第１または第２受け入れ部分に延びており、各プラグシートの端子受け入れスロットが上記分割プレートと対向する面に設けられていると共に、端子受け入れスロットを設けた面と反対の面側の上記側壁間は外部に対して開放されている。
【考案の効果】
【００１９】
上述したように、本考案のスタック型コネクタ４、８は、最大数の相手電気コネクタ７、７’を最小長さで挿入することができる。同時に、スタック型コネクタ４、８の保持ノッチ４４、８５は、回路板６、６’をクランプして位置設定するように協働し、従来の電気コネクタ１の欠点、即ちロックユニット１５を挿入するために回路板３の固定穴３２の数を増加する必要があり、従って、回路板３に電気コネクタ１をしっかり固定するが回路板３の構造強度を弱めるという欠点を軽減する。従って、スタック型コネクタ４、８の有用性が確実に維持される。
【考案を実施するための最良の形態】
【００２０】
本考案の原理は、種々の形態で実施できるが、１つの特定の形態を添付図面に示して以下に詳細に述べる。従って、これは、本考案を単に例示するものに過ぎず、本考案をこれに限定するものではないことに注意されたい。
図１及び２には、２つの相手電気コネクタ７、７’を挿入して電気的接続を確立するための本考案の第１の実施形態によるスタック型コネクタ４が示されている。このスタック型コネクタ４は、絶縁ハウジング４１を備えている。この絶縁ハウジング４１は、２つの離間された直立側壁４２を有する。各直立側壁４２は、前端４２１及び後端４２２を有する。２つの直立側壁４２間にはその後端４２２の付近に直立区画壁４３が一体的に形成され、Ｉ字型形状が作られる。直立側壁４２は、保持ノッチ４４を各々有し、これは、直立側壁４２を貫通せずにその後方から前方へと水平に延び、そして直立側壁４２の高さの中央に配置される。この実施形態では、各直立側壁４２の保持ノッチ４４は、同じ水平面に配置される。各保持ノッチ４４の巾は、回路板６の厚みより若干小さい。回路板６は、直立側壁４２の保持ノッチ４４に入れられてぴったり嵌合し、従って、回路板６は、保持ノッチ４４にしっかり受け入れられる。
【００２１】
直立側壁４２及び直立区画壁４３と一体的に分割プレート４５が横方向に形成される。この実施形態では、分割プレート４５と、左右の保持ノッチ４４がほぼ同じ高さに配置される。直立区画壁４３と、分割プレート４５と、２つの直立側壁４２は、上下の受け入れ部分（即ち、第１受け入れ部分４６及び第２受け入れ部分４７）を画成するように協働する。これら２つの受け入れ部分４６、４７には、上部の第１プラグシート４８及び下部の第２プラグシート４９が各々形成される。
【００２２】
第１プラグシート４８は、直立区画壁４３と一体的に形成された前方に延びるＬ字型の第１突出部分４８１を含む。この第１突出部分４８１は、第１受け入れ部分４６に配置される。第１突出部分４８１は、直立区画壁４３に固定される後端を除いて、その残りの部分が、２つの直立側壁４２と接触されず、ある距離に維持される。上述したように、第１突出部分４８１は、Ｌ字型であって、この実施形態では、第１水平部分４８２及び第１垂直部分４８３を有する。この第１垂直部分４８３は、第１水平部分４８２の一端に一体的に接続され、そして下方に延びて、Ｌ字型を形成する。第１水平部分４８２は、その長さが第１垂直部分４８３より長く、そして左側に配置された第１垂直部分４８３と角度を形成する（第１垂直部分４８３は、左側壁に接近する）。右側の直立側壁４２には、後方に且つ側方に延びる通路４８４が形成され、その機能は以下で述べる。第１水平部分４８２の下面、即ち、分割プレート４５と対向する面には、複数の端子受け入れスロット４０が形成される。この実施形態では、端子受け入れスロット４０は、互いに平行である。第１水平部分４８２の、端子受け入れスロット４０が形成された面と反対の面、即ち上面側は、直立側壁４２間が外部に対して開放されている。
【００２３】
第１プラグシート４８と同様に、第２プラグシート４９も、直立区画壁４３と一体的に形成された前方に延びるＬ字型の第２突出部分４９１を含む。この第２突出部分４９１は、第２受け入れ部分４７に配置される。この第２突出部分４９１は、直立区画壁４３に固定される後端を除いて、その残りの部分が、２つの直立側壁４２と接触されず、ある距離に維持される。第２突出部分４９１は、Ｌ字型であって、この実施形態では、第２水平部分４９２及び第２垂直部分４９３を有する。この第２垂直部分４９３は、第２水平部分４９２の一端に一体的に接続され、そして上方に延びて、Ｌ字型を形成する。第２水平部分４９２は、その長さが第２垂直部分４９３より長く、そして右側に配置された第２垂直部分４９３とで角度を形成する（第２垂直部分４９３は、右側壁に接近する）。左側の直立側壁４２には、後方に且つ側方に延びる通路４９４が形成され、その機能は以下で述べる。第２水平部分４９２の上面、即ち、分割プレート４５と対向する面には、複数の端子受け入れスロット４０が形成される。この実施形態では、端子受け入れスロット４０は、互いに平行である。第２水平部分４９２の、端子受け入れスロット４０が形成された面と反対の面、即ち下面側は、直立側壁４２間が外部に対して開放されている。
【００２４】
スタック型コネクタ４は、更に、端子受け入れスロット４０に各々受け入れられる複数の端子５を備えている。各端子５は、コンタクト部分５１と、半田付け部分５２と、これらのコンタクト部分５１及び半田付け部分５２を接続する本体部分５３とを備えている。各端子５の本体部分５３には、その両側に各々配置された複数の締りばめ部分（図示せず）が設けられる。各端子５が、対応する端子受け入れスロット４０に受け入れられるときには、各端子５のコンタクト部分５１がその対応する端子受け入れスロット４０に配置され、そして本体部分５３の締りばめ部分がその対応する端子受け入れスロット４０の内壁に締りばめ係合し、従って、各端子５は、その対応する端子受け入れスロット４０に固定され、そして半田付け部分５２が直立区画壁４３の後面及び絶縁ハウジング４１から後方に延びる。
【００２５】
第１突出部分４８１に配置された各端子５の半田付け部分５２は、直立区画壁４３の後面から後方に且つ外方に延びた後に下方に延び、一方、第２突出部分４９１に配置された各端子５の半田付け部分５２は、直立区画壁４３の後面から後方に且つ外方に延びた後に上方に延びる。その細部の機能は、以下の説明から理解されよう。
【００２６】
図１を参照すれば、回路板６は、切欠部６１を有する。第１及び第２突出部分４８１、４９１における端子５と個数的に対応する電気コンタクトポイント６２が回路板６の両面に各々設けられる。回路板６は、スタック型コネクタ４の後側から保持ノッチ４４に挿入され、スタック型コネクタ４に電気的に接続される。切欠部６１により、回路板６は、それが保持ノッチ４４に挿入されるときに、絶縁ハウジング４１や分割プレート４５と干渉するのを回避することができる。回路板６がスタック型コネクタ４に配置されると、第１突出部分４８１における端子５の半田付け部分５２と、第２突出部分４９１における端子５の半田付け部分５２は、回路板６の電気コンタクトポイント６２に各々電気的に接触する。
【００２７】
図２を参照すれば、スタック型コネクタ４は、挿入方向（即ち、前後方向）を規定する。相手電気コネクタ７は、雌型挿入壁７１を有する。相手電気コネクタ７が挿入方向に沿って第１プラグシート４８に挿入されると、雌型挿入壁７１が第１突出部分４８１をカバーし、そして雌型挿入壁７１が第１突出部分４８１に配置されるのに続いて、雌型挿入壁７１の片側にある突出片７２が、右の直立側壁４２の通路４８４の前端からスライドしてそこに配置される。このときに、相手電気コネクタ７の内部に設けられた端子（図示せず）が、第１プラグシート４８上の端子５に電気的に接続される。
【００２８】
同様に、図２を参照すれば、他方の相手電気コネクタ７’が第２プラグシート４９に挿入されると、その雌型挿入壁７１’が第２突出部分４９１をカバーし、そして雌型挿入壁７１’が第２突出部分４９１に配置されるのに続いて、雌型挿入壁７１’の片側にある突出片７２’が、左の直立側壁４２の通路４９４の前端からスライドしてそこに配置される。このときに、相手電気コネクタ７’の内部に設けられた端子（図示せず）が、第２プラグシート４９上の端子５に電気的に接続される。
【００２９】
図３及び４は、偶数（２より大きな偶数）個の相手電気コネクタ７、７’を挿入して電気的接続を確立するための本考案の第２の実施形態によるスタック型コネクタ８を示す。
このスタック型コネクタ８は、絶縁ハウジング８１を備えている。この絶縁ハウジング８１は、２つの離間された直立側壁８２を有する。各直立側壁８２は、前端８２１と、後端８２２と、２つの直立側壁８２間にそれらと平行に形成された少なくとも１つの直立した中間壁８３とを有する。この実施形態では、中間壁８３の数は、３である。もちろん、中間壁８３の数は、当業者であれば、本考案の教示に基づき変更できる。各直立側壁８２及び各中間壁８３は、それらの間に一体的に形成された直立した直立区画壁８４により相互接続される。各直立区画壁８４は、直立側壁８２及び中間壁８３の後端付近に配置され、従って、Ｉ字型を形成する。直立側壁８２及び中間壁８３の各々には、保持ノッチ８５が形成され、これは、対応する直立側壁８２又は対応する中間壁８３を貫通せずに後端８２２から前端８２１へ水平に延び、そして対応する直立側壁８２及び対応する中間壁８３の高さの中央に配置される。この実施形態では、保持ノッチ８５は、同じ水平面に配置される。各保持ノッチ８５の巾は、回路板６’の厚みより若干小さい。回路板６’は、保持ノッチ８５に入れられてぴったり嵌合し、従って、回路板６’は、保持ノッチ８５内にしっかり受け入れられる。
【００３０】
水平の分割プレート８６が、各直立側壁８２と隣接中間壁８３との間、及び２つの隣接中間壁８３間に一体的に形成される。この実施形態では、分割プレート８６及び保持ノッチ８５は、ほぼ同じ高さに配置される。直立区画壁８４、分割プレート８６、直立側壁８２及び中間壁８３は、上下の受け入れ部分（第１受け入れ部分及び第２受け入れ部分）を画成するように協働する。この実施形態では、４組の上下の受け入れ部分（第１受け入れ部分及び第２受け入れ部分）がある。各組の上下の受け入れ部分には、上部の第１プラグシート８７及び下部の第２プラグシート８８が形成される。
全組の上下の受け入れ部分における上部の第１プラグシート８７及び下部の第２プラグシート８８は、構造が同様であるから、その１組だけを以下に説明する。
【００３１】
第１プラグシート８７は、Ｌ字型の第１突出部分８７１を含み、これは、直立区画壁８４と一体的に形成されそして前方に延びる。この第１突出部分８７１は、第１受け入れ部分に配置される。直立区画壁８４に固定される後端を除き、第１突出部分８７１の残り部分は、左右の壁（１つの直立側壁８２及び１つの中間壁８３、又は２つの中間壁８３）と接触しない。第１突出部分８７１は、Ｌ字型であって、この実施形態では、第１水平部分８７２及び第１垂直部分８７３を有する。この第１垂直部分８７３は、第１水平部分８７２の一端に一体的に接続されそして下方に延びて、Ｌ字型を形成する。第１水平部分８７２は、その長さが第１垂直部分８７３より長く、左側に配置された第１垂直部分８７３とで角度を形成する（第１垂直部分８７３は、左の直立側壁８２付近にある）。右の中間壁８２には、後方及び側方に延びる通路８７４が形成され、その機能は、以下に述べる。第１水平部分８７２の下面、即ち、分割プレート８６と対向する面には、複数の端子受け入れスロット８０が形成される。この実施形態では、端子受け入れスロット８０は、互いに平行である。第１水平部分８７２の、端子受け入れスロット８０が形成された面と反対の面、即ち上面側は、左右の壁（１つの直立側壁８２及び１つの中間壁８３、又は２つの中間壁８３）間が外部に対して開放されている。
【００３２】
第１プラグシート８７と同様に、第２プラグシート８８は、Ｌ字型の第２突出部分８８１を含み、これは、直立区画壁８４と一体的に形成されそして前方に延びる。この第２突出部分８８１は、第２受け入れ部分に配置される。直立区画壁８４に固定される後端を除き、第２突出部分８８１の残り部分は、２つの壁（１つの側壁８２及び１つの中間壁８３、又は２つの中間壁８３）と接触しない。第２突出部分８８１は、Ｌ字型であって、この実施形態では、第２水平部分８８２及び第２垂直部分８８３を有する。この第２垂直部分８８３は、第２水平部分８８２の一端に一体的に接続されそして上方に延びて、Ｌ字型を形成する。第２水平部分８８２は、その長さが第２垂直部分８８３より長く、右側に配置された第２垂直部分８８３とで角度を形成する（第２垂直部分８８３は、右側の中間壁８３付近にある）。左の直立側壁８２には、後方及び側方に延びる通路８８４が形成され、その機能は、以下に述べる。第２水平部分８８２の上面、即ち、分割プレート４５と対向する面には、複数の端子受け入れスロット８０が形成される。この実施形態では、端子受け入れスロット８０は、互いに平行である。第２水平部分８８２の、端子受け入れスロット８０が形成された面と反対の面、即ち下面側は、左右の壁（１つの直立側壁８２及び１つの中間壁８３、又は２つの中間壁８３）間が外部に対して開放されている。
【００３３】
スタック型コネクタ８は、更に、端子受け入れスロット８０に各々受け入れられる複数の端子５’を備えている。各端子５’は、コンタクト部分５１’と、半田付け部分５２’と、これらのコンタクト部分５１’及び半田付け部分５２’を接続する本体部分５３’とを備えている。各端子５’の本体部分５３’には、その両側に各々配置された複数の締りばめ部分（図示せず）が設けられる。各端子５’が、対応する端子受け入れスロット８０に受け入れられるときには、各端子５’のコンタクト部分５１’がその対応する端子受け入れスロット８０に配置され、そして本体部分５３’の締りばめ部分がその対応する端子受け入れスロット８０の内壁に締りばめ係合し、従って、各端子５’は、その対応する端子受け入れスロット８０に固定され、そして各端子５’の半田付け部分５２’が直立区画壁８４の後面及び絶縁ハウジング４１から後方に延びる。
【００３４】
第１突出部分８７１に配置された各端子５’の半田付け部分５２’は、直立区画壁８４の後面から後方に且つ外方に延びた後に下方に延び、一方、第２突出部分８８１に配置された各端子５’の半田付け部分５２’は、直立区画壁８４の後面から後方に且つ外方に延びた後に上方に延びる。
図３を参照すれば、回路板６’は、切欠部６１’を有する。第１及び第２突出部分８７１、８８１における端子５’と個数的に対応する電気コンタクトポイント６２’が回路板６’の両面に各々設けられる。回路板６’は、スタック型コネクタ８の後方から保持ノッチ８５へ挿入され、スタック型コネクタ８に電気的に接続される。切欠部６１’により、回路板６’は、それが保持ノッチ８５に挿入されるときに、絶縁ハウジング８１や分割プレート８６と干渉するのを回避することができる。回路板６’がスタック型コネクタ８に配置されると、第１突出部分８７１における端子５’の半田付け部分５２’と、第２突出部分８８１における端子５’の半田付け部分５２’は、回路板６’の電気コンタクトポイント６２’に各々電気的に接触する。ある保持ノッチ８５は、一対の保持アーム８５ａを含み、これら保持アーム８５ａの遠方端には保持フック８９が配置されている。又、回路板６’は、保持アーム８５ａの保持フック８９を受け入れるための１つ以上の穴６３’も含む。
【００３５】
図３及び４を参照すれば、スタック型コネクタ８は、挿入方向（即ち前後方向）を規定する。雌型挿入壁７１を各々有する複数の相手電気コネクタ７（第１プラグシート８７の数に対応する）が挿入方向に沿って対応する第１プラグシート８７に挿入されると、各相手電気コネクタ７の雌型挿入壁７１がそれに対応する第１突出部分８７１をカバーし、そして各相手電気コネクタ７の雌型挿入壁７１がそれに対応する第１突出部分８７１に配置されるのに続いて、各相手電気コネクタ７の雌型挿入壁７１の片側にある突出片７２が、右側の中間壁８３または直立側壁８２に設けた対応通路８７４の前端からスライドしてそこに配置される。このときに、相手電気コネクタ７の内部に設けられた端子（図示せず）が、対応する第１プラグシート８７上の端子５’に電気的接続される。
【００３６】
同様に、図４を参照すれば、雌型挿入壁７１’を各々有する複数の相手電気コネクタ７’（第２プラグシート８８の数に対応する）が挿入方向に沿って対応する第２プラグシート８８に挿入されると、各相手電気コネクタ７’の雌型挿入壁７１’がそれに対応する第２突出部分８８１をカバーし、そして各相手電気コネクタ７’の雌型挿入壁７１’がそれに対応する第２突出部分８８１に配置されるのに続いて、各相手電気コネクタ７’の雌型挿入壁７１’の片側にある突出片７２’が、左側の直立側壁８２または中間壁８３に設けた対応通路８８４の前端からスライドしてそこに配置される。このときに、相手電気コネクタ７’の内部に設けられた端子（図示せず）が、対応する第２プラグシート８８上の端子５’に電気的接続される。
【図面の簡単な説明】
【００３７】
【図１】本考案の第１の実施形態によるスタック型コネクタの斜視図である。
【図２】図１の電気コネクタの斜視図で、２つの相手電気コネクタの挿入を許すためにスタック型コネクタを回路板にいかに接続するか示す図である。
【図３】本考案の第２の実施形態によるスタック型コネクタの斜視図である。
【図４】図３の電気コネクタの斜視図で、スタック型コネクタを回路板にいかに接続するか示す図である。
【図５】本出願人の以前の出願に開示された電気コネクタの分解斜視図である。
【図６】図５の電気コネクタを下から見た斜視図である。
【図７】図６の電気コネクタを回路板と共に組み立てた斜視図である。
【符号の説明】
【００３８】
４          スタック型コネクタ
４０        端子受け入れスロット
４１        絶縁ハウジング
４２        直立側壁
４２１      前端
４２２      後端
４３        直立区画壁
４４        保持ノッチ
４５        分割プレート
４６        第１受け入れ部分
４７        第２受け入れ部分
４８        第１プラグシート
４８１      第１突出部分
４８２      第１水平部分
４８３      第１垂直部分
４８４      通路
４９        第２プラグシート
４９１      第２突出部分
４９２      第２水平部分
４９３      第２垂直部分
４９４      通路
５、５’    端子
５１、５１’      コンタクト部分
５２、５２’      半田付け部分
５３、５３’      本体部分
６、６’    回路板
６１、６１’      切欠部
６２、６２’      電気コンタクトポイント
６３’            穴
７、７’    相手電気コネクタ
７１、７１’      雌型挿入壁
７２、７２’      突出片
８          スタック型コネクタ
８０        端子受け入れスロット
８１        絶縁ハウジング
８２        直立側壁
８２１      前端
８２２      後端
８３        中間壁
８４        直立区画壁
８５        保持ノッチ
８６        分割プレート
８７        第１プラグシート
８７１      第１突出部分
８７２      第１水平部分
８７３      第１垂直部分
８７４      通路
８８        第２プラグシート
８８１      第２突出部分
８８２      第２水平部分
８８３      第２垂直部分
８８４      通路
８９        保持フック
【図１】
0003128348.tif 000003
【図２】
0003128348.tif 000004
【図３】
0003128348.tif 000005
【図４】
0003128348.tif 000006
【図５】
0003128348.tif 000007
【図６】
0003128348.tif 000008
【図７】
0003128348.tif 000009